(57)【要約】【課題】  導光板を不要にして透過型あるいは反射型の液晶表示装置を好適に照明し、かつ液晶表示装置の厚さ寸法を小さくして機器の薄型化を実現する。【解決手段】  カメラ本体１に設けられた透過型の液晶表示装置６と、当該液晶表示装置を照明するための光源１０５とを備え、液晶表示装置６をカメラ本体１に対して回動可能に支持して表示面方向に突出するようにし、当該移動によって液晶表示装置６の背面とカメラ本体１との間に生じる空隙Ｓ内に向けて光源１０５から照明光を出射し、空隙Ｓ内を導光した光により液晶表示装置６の背面を均一に照明する。液晶表示装置６の背面に光を導光させるための厚い導光板を配設する必要がなく、照明装置を含む液晶表示装置の厚さ寸法を小さくし、カメラの薄型化が実現できる。【選択図】  図３
2006058808.tif 000002
【特許請求の範囲】
【請求項１】
機器本体に設けられた透過型の液晶表示装置と、前記液晶表示装置を照明するための光源とを備え、前記液晶表示装置を機器本体に対して表示面方向に突出するように移動可能に構成し、当該移動によって前記液晶表示装置の背面と前記機器本体との間に生じる空隙内に向けて前記光源から照明光を出射する構成としたことを特徴とする液晶表示装置の照明装置。
【請求項２】
前記液晶表示装置は一辺部位を支点にして他辺部位が機器本体から突出するように回動可能に支持されており、前記光源を前記液晶表示装置の他辺に沿う位置に配設したことを特徴とする請求項１に記載の液晶表示装置の照明装置。
【請求項３】
前記液晶表示装置は全体が機器本体の表面から突出するように移動可能に支持されており、前記光源を前記液晶表示装置の互いに対向する辺に沿う位置にそれぞれ配設したことを特徴とする請求項１に記載の液晶表示装置の照明装置。
【請求項４】
前記液晶表示装置の背面に対向する前記機器本体の内面に反射板を備えることを特徴とする請求項１ないし３のいずれかに記載の液晶表示装置の照明装置。
【請求項５】
前記液晶表示装置の背面に光を拡散する拡散手段を備えることを特徴とする請求項１ないし４のいずれかに記載の液晶表示装置の照明装置。
【請求項６】
機器本体に設けられた反射型の液晶表示装置と、前記液晶表示装置を照明するための光源とを備え、前記液晶表示装置の表示面の前側に配置されるとともに当該液晶表示装置の表示面から前方に突出するように移動可能に構成された保護ガラスを備え、前記保護ガラスの移動によって前記液晶表示装置の表示面と保護ガラスとの間に生じる空隙内に向けて前記光源から照明光を出射する構成としたことを特徴とする液晶表示装置の照明装置。
【請求項７】
前記保護ガラスは一辺部位を支点にして他辺部位が機器本体から突出するように回動可能に支持されており、前記光源を前記保護ガラスの他辺に沿う位置に配設したことを特徴とする請求項６に記載の液晶表示装置の照明装置。
【請求項８】
前記液晶表示装置又は前記保護ガラスの移動を検知して前記光源を発光させるための電力を供給するスイッチ手段を備えることを特徴とする請求項１ないし７のいずれかに記載の液晶表示装置の照明装置。
【請求項９】
前記液晶表示装置又は前記保護ガラスを前記機器本体内に収納した状態に係止するとともに手操作によって当該係止を解除することが可能な係止手段と、前記液晶表示装置又は前記保護ガラスを前記機器本体から突出させる方向に付勢する付勢手段を備えることを特徴とする請求項１ないし８のいずれかに記載の液晶表示装置の照明装置。
【発明の詳細な説明】
【技術分野】
【０００１】
本発明は液晶表示装置を照明するための照明装置に関し、特に撮影画像を表示するモニタ装置として液晶表示装置を用いたカメラに適用し、当該液晶表示装置がカメラに占める厚さ寸法を低減してカメラの薄型化を実現可能にした液晶表示装置の照明装置に関するものである。
【背景技術】
【０００２】
デジタルカメラでは撮影画像を表示するためのモニタ装置が設けられており、一般的には当該モニタ装置は液晶表示装置で構成され、カメラ本体の後面に配設することが行われている。また、携帯電話や各種端末等の機器にも表示装置として液晶表示装置が用いられる。この種の液晶表示装置としては透過型液晶表示装置が用いられることが多く、明瞭な表示画像を得るためにバックライトを備えている。特許文献１では、バックライトを構成するために液晶表示装置の背面に導光板を配置し、この導光板に一側から光源からの光や外光を導入し、導光板内を導光する光によって液晶表示装置を背面から表示して表示を行うようにしている。また、携帯電話のような機器では液晶表示装置として反射型液晶表示装置を用いる場合もあるが、液晶表示装置の表示面を照明するための構成が必要であるため、小画面の液晶表示装置を適用することは可能でも、高品質な表示が要求されるカメラの液晶表示装置への適用は難しい。
【特許文献１】特開２０００−１６２５７６号公報
【発明の開示】
【発明が解決しようとする課題】
【０００３】
透過型の液晶表示装置はバックライトを構成するために特許文献１に記載のように液晶表示装置の背面に光源や導光板を配設する必要がある。そのため、導光板を配設することによって液晶表示装置の厚さ寸法が大きくなり、特許文献１の図１２にも示されるように液晶表示装置がカメラの背面側に突出されてしまい、カメラの厚さ寸法が大きくなって薄型カメラを構成することが難しくなる。反射型の液晶表示装置はカメラへの適用が難しいが、適用する場合には液晶表示装置の表面面上に特許文献１のような導光板を重ねて配設し、この導光板に対して光を入射するように構成することになる。したがって、この場合にも導光板の厚さだけカメラの厚さ寸法が大きくなることは避けられない。薄型化を図るためには導光板を薄く形成すればよいが、導光板内を導光する光を周辺部にまで導光することが難しくなり、均一かつ輝度の高い背面照明を実現することが難しい。
【０００４】
本発明の目的は、導光板を不要にして透過型あるいは反射型の液晶表示装置を好適に照明するとともに、液晶表示装置の厚さ寸法を小さくして機器の薄型化を実現することを可能にした液晶表示装置の照明装置を提供するものである。
【課題を解決するための手段】
【０００５】
本発明は、機器本体に設けられた透過型の液晶表示装置と、当該液晶表示装置を照明するための光源とを備え、液晶表示装置を機器本体に対して表示面方向に突出するように移動可能に構成し、当該移動によって液晶表示装置の背面と機器本体との間に生じる空隙内に向けて光源から照明光を出射する構成としたことを特徴とする。例えば、液晶表示装置は一辺部位を支点にして他辺部位が機器本体から突出するように回動可能に支持されており、光源を前記液晶表示装置の他辺に沿う位置に配設する。あるいは、液晶表示装置は全体が機器本体の表面から突出するように移動可能に支持されており、光源を液晶表示装置の互いに対向する辺に沿う位置にそれぞれ配設する。この場合、液晶表示装置の背面に対向する機器本体の内面に反射板を備えること、さらには、液晶表示装置の背面に光を拡散する拡散手段を備える構成とする。
【０００６】
また、本発明は、機器本体に設けられた反射型の液晶表示装置と、当該液晶表示装置を照明するための光源とを備え、液晶表示装置の表示面の前側に配置されるとともに当該液晶表示装置の表示面から前方に突出するように移動可能に構成された保護ガラスを備え、保護ガラスの移動によって液晶表示装置の表示面と保護ガラスとの間に生じる空隙内に向けて光源から照明光を出射する構成としたことを特徴とする。例えば、保護ガラスは一辺部位を支点にして他辺部位が機器本体から突出するように回動可能に支持されており、光源を保護ガラスの他辺に沿う位置に配設する。
【発明の効果】
【０００７】
本発明によれば、透過型液晶表示装置の場合には液晶表示装置を機器本体から突出させて液晶表示装置の背面と機器本体との間に空隙を形成し、この空隙内に光源からの光を出射して空隙内を導光させ、液晶表示装置を背面側から照明する。また、反射型液晶表示装置の場合には液晶表示装置の前面の保護ガラスを突出させて液晶表示装置の表示面と保護ガラスとの間に空隙を形成し、この空隙内で光を導光させて液晶表示装置の表示面を照明する。液晶表示装置の背面あるいは前面に光を導光させるための厚い導光板を配設する必要がなく、液晶表示装置の厚さを小さくし、機器の薄型化が実現できる。
【発明を実施するための最良の形態】
【０００８】
本発明においては、液晶表示装置又は保護ガラスの移動を検知して光源を発光させるための電力を供給するスイッチ手段を備えることが好ましい。また、液晶表示装置又は保護ガラスを機器本体内に収納した状態に係止するとともに手操作によって当該係止を解除することが可能な係止手段と、液晶表示装置又は保護ガラスを機器本体から突出させる方向に付勢する付勢手段を備えることが好ましい。
【実施例１】
【０００９】
次に、本発明の実施例を図面を参照して説明する。図１は本発明を小型のデジタルカメラのモニタ装置に適用した実施例１を後面側から見た外観斜視図である。図１（ａ）に示すように、カメラ本体１の前面には撮影レンズ２が配設され、上面にはレリーズボタン３やメインスイッチ４が配設されている。また、後面にはＬＣＤ（液晶表示装置）からなるモニタ装置６と、光学ファインダ窓７と、複数の操作ボタン８が配設されている。前記モニタ装置６は、撮影しようとする被写体のスルー像や撮影した後の撮影像、さらにはカメラの各種設定を行う際のメニューを表示することができ、これら表示を操作ボタン８によって切り替えることが可能であることは詳細に説明するまでもない。
【００１０】
前記モニタ装置６を構成しているＬＣＤは、ここでは透過型ＬＣＤで構成されている。透過型ＬＣＤは照明装置により背面側から照明を行ない、ＬＣＤを透過した光により前面側の表示面において表示を行うものである。前記ＬＣＤ６は詳細は後述するが、上辺部位を支点として下辺部位がカメラ本体１の後面に対して出没するように内装支持されており、図１（ｂ）に示すように、カメラ本体１の後面に配設した開閉レバー９を下方に押し下げるように操作するとＬＣＤ６の下辺部位がカメラ本体１の後面から突出される。また、ＬＣＤ６の前面を押圧することによって下辺部位をカメラ本体１の後面と同一面位置にまで押し込むことが可能にされている。
【００１１】
図２はＬＣＤ６に関連する部位の詳細な構成を示す部分分解斜視図である。また、図３は図１（ｂ）の状態のときのＬＣＤ６の下辺部位の拡大断面図である。ＬＣＤ６はフレーム６１内に収容され、ＬＣＤ６の前面側の表示面を覆う保護ガラス６２を有しており、前記カメラ本体１の凹所１０１内に内装されている。また、前記ＬＣＤ６の背面には、光を拡散するための拡散シート６３ａと、光をそれぞれ異なる方向に屈折させるための２枚のプリズムシート６３ｂ，６３ｃを積層状態に一体化した光透過型の拡散板６３が一体的に貼りつけられている。また、ＬＣＤ６の背面に対向する領域の前記カメラ本体１の凹所１０１の立内には、表面を反射処理した薄板からなる反射板１０２が配設されている。
【００１２】
前記ＬＣＤ６には前記フレーム６１の上辺部位の両側にそれぞれ外側に向けて支持ピン６４が突出されている。前記支持ピン６４はカメラ本体１に設けられた支持穴１０３に嵌入されており、これによりＬＣＤ６は支持ピン６４を支点にして下辺部位をカメラ本体１の後面から突出するように回動可能とされている。また、前記ＬＣＤ６の下辺部位の両側位置に対応する前記カメラ本体１の凹所１０１内にはＬＣＤ６の背面に対してほぼ垂直に弾接するコイル状のＬＣＤ付勢バネ１０４が配設されており、これらのＬＣＤ付勢バネ１０４によってＬＣＤ６は下辺部位が表示面側に付勢される。
【００１３】
前記ＬＣＤ６のフレーム６１の下辺寄りの一側に隣接した前記カメラ本体１内の位置には前記した開閉レバー９が配設されている。この開閉レバー９はレバー本体９１が上下方向に移動可能にカメラ本体１内に内装されており、下端部に介挿されたレバー付勢バネ９４によって上方に付勢されている。前記レバー本体９１の前面には操作部９２が一体に設けられ、前記カメラ本体１の後面から突出されている。また、レバー本体９１の上端には係止ピン９３が上方に突出され、前記ＬＣＤ６のフレーム６１の側辺一部に設けた係止部６５に係合可能とされている。この係止部６５は１／４円板状に形成され前記フレーム６１の側面から突出されており、下方に向けられた円周面に前記係止ピン９３が下方から弾接可能とされている。
【００１４】
また、前記カメラ本体１の凹所１０１の底面、すなわちＬＣＤ６の下辺に沿った面の２箇所には光軸を上方に向けたＬＥＤ（発光ダイオード）１０５が配設されている。さらに、前記２つの付勢バネ１０４の一方に隣接する位置にはＬＣＤ６の背面によって押し込まれたときにスイッチが切り替わるＬＥＤスイッチ１０６が配設されている。そして、前記ＬＥＤ１０５は前記ＬＥＤスイッチ１０６がオン動作されたときに発光するように図外の配線により電源に接続する回路が構成されている。このＬＥＤ１０５はＬＣＤ６のいわゆるバックライト用の光源として構成される。
【００１５】
この実施例では、モニタ装置、すなわちＬＣＤ６を使用しないとき、あるいは外光が明るくてＬＣＤ６の表示をバックライト無しで視認できるときには、カメラ本体１の後面に配設されている開閉レバー９を操作しない。このときには、図１（ａ）及びその概略断面図の図４（ａ）に示すように、ＬＣＤ６は保護ガラス６２の前面がカメラ本体１の後面と同一面にあり、当該保護ガラス６２の前面が当該後面から突出されることがない。したがってカメラの前後方向の寸法を小さくでき薄型カメラとして提供することができる。
【００１６】
一方、ＬＣＤ６をバックライトで照明して使用するときには、開閉レバー９の操作部９２を指で下方に押し下げる。図５（ａ）は開閉レバー９を押し下げる前の状態であり、開閉レバー９の係止ピン９３がＬＣＤ６の係止部６５の垂直面に当接されて係止されている。開閉レバー９を押し下げると、図５（ｂ）のように、開閉レバー９のレバー本体９１はレバー付勢バネ９４に抗して下方に移動され、係止ピン９３が係止部６５との係止位置から退避される。そのため、ＬＣＤ付勢バネ１０４によってＬＣＤ６の下辺部位は表示面側に押し出され、図５（ｃ）に示すように、ＬＣＤ６の表示面はカメラ本体１の後面に対して上方に小角度で傾斜した状態になる。この状態は図１（ｂ）及びその断面図の図４（ｂ）の状態である。
【００１７】
このような状態になると、ＬＣＤ６の背面側の拡散板６３とカメラ本体１の凹所１０１内の反射板１０２との間にテーパ状の空隙Ｓが形成される。また、これと同時にＬＥＤスイッチ１０６がＬＣＤ６による押し込みから開放され、スイッチオンとなりＬＥＤ１０５が発光される。ＬＥＤ１０５が発光すると、図３及び図４（ｂ）に示すように、発光した光は拡散板６３の背面と反射板１０２との空隙内に向けて出射され、この空隙Ｓ内において拡散板６３を通してＬＣＤ６の背面を照明し、あるいは反射板１０２により反射され、さらには反射板１０２とＬＣＤ６の背面に設けた拡散板６３との間で多重反射されながら空隙Ｓ内を伝達される。そして、拡散板６３を光を透過する際には拡散シート６３ａによる光の拡散と、プリズムシート６３ｂ，６３ｃによる光の屈折により、光はＬＣＤ６の背面の全域に向けられ、ＬＣＤ６はほぼ全面が背面側から照明されることになり、いわゆるバックライトとして表示面での表示が可能になる。
【００１８】
ＬＣＤ６の使用が終了したときには、図５を再度参照すると、保護ガラス６２の下辺寄りの表面一部をカメラ本体１に向けて押し込むと、係止部６５の円周面と係止ピン９３との当接によって開閉レバー９はレバー付勢バネ９４のバネ力に抗して下方に移動され、円周面を乗り越えた時点で上方に付勢復帰されて係止部６５の垂直面に係合された状態となり、ＬＣＤ６は係止される。このときには図４（ａ）に示したように、ＬＣＤ６の保護ガラス６２の表面はカメラ本体１の後面と同一面となる。また、同時にＬＥＤスイッチ１０６がＬＣＤ６により押し込まれてオフとなり、ＬＥＤ１０５が消光される。
【００１９】
このように、実施例１では、モニタ装置を構成している透過型ＬＣＤの背面にはカメラ本体との間に導光板を介在する必要がない。そのため、照明装置を含むモニタ装置の厚さ寸法を小さくでき、カメラの薄型化が可能になる。その一方で、ＬＣＤの背面側に形成された空隙を利用して光を導光してＬＣＤの背面を照射して表示面にまで透過させるので、ＬＣＤの周辺部にまで導光することが可能になり、均一かつ輝度の高い背面照明を実現し、高品質の透過型ＬＣＤを用いたモニタ装置を実現することができる。
【実施例２】
【００２０】
図６は実施例２の要部の部分分解斜視図である。実施例１と等価な部分には同一符号を付してある。実施例２はＬＣＤ６の上辺部位を実施例１の支持ピンによる回動可能な支持構造に代えて、カメラ本体に対して前後方向に移動可能にしたものであり、下辺部位の構成は実施例１と同じである。すなわち、ＬＣＤ６はフレーム６２の上辺部位の両側において外側に向けて支持ピン６４Ａを突出し、これらの支持ピン６４Ａをカメラ本体１の凹所１０１内の対応する両側面に前後方向に設けられたガイド溝１０７内に挿入している。これにより、ＬＣＤ６の上辺部位は支持ピン６４Ａをガイド溝１０７内で移動させることで、カメラ本体１の後面に対して前後方向に移動され、前方に移動されたときにはＬＣＤ６の保護ガラス６２の前面がカメラ本体１の後面から突出することが可能である。また、これに対応して、カメラ本体１の凹所１０１内にはＬＣＤ６の背面の上辺部位に対向する位置にも下辺部位と同様なＬＣＤ付勢バネ１０４が配設されている。また、前記凹所１０１内の底面に沿った２箇所には光軸を上方に向けたＬＥＤ１０５が配設されていることは実施例１と同じであるが、凹所１０１の上底面に沿った２箇所にも光軸を下方に向けたＬＥＤ１０５が配設されている。また、ＬＣＤ６の下辺寄りの部位に設けた係止部６５の構成、及びこれに対応してカメラ本体１に設けた開閉レバー９の構成、さらに、ＬＥＤスイッチの構成も実施例１と同じである。
【００２１】
この実施例では、ＬＣＤ６を使用しないとき、あるいは外光が明るくてＬＣＤの表示をバックライト無しで視認できるときには、カメラ本体１の後面に配設されている開閉レバー９を操作せず、このときには図７（ａ）に示すように、ＬＣＤ６は保護ガラス６２の前面がカメラ本体１の後面と同一面となり、当該後面から突出されることがない。したがってカメラの前後方向の寸法を小さくでき薄型カメラとして提供することができる。
【００２２】
一方、ＬＣＤ６をバックライトで照明して使用するときには、開閉レバー９の操作部９２を指で下方に押し下げる。これにより実施例１と同様に係止ピン９３が係止部６５との係合から外され、図７（ｂ）に示すように、ＬＣＤ６の下辺部位はＬＣＤ付勢バネ１０４によって表示面側に押し出される。これと同時にＬＣＤ６の上辺部位も支持ピン６４Ａがガイド溝１０７内を移動され、ＬＣＤ付勢バネ１０４によって表示面側に押し出される。これにより、ＬＣＤ６の全体が平行状態にカメラ本体１の後面よりも押し出された状態となり、ＬＣＤ６の背面と凹所１０１の立面との間にほぼ均一幅の空隙Ｓが形成される。
【００２３】
また、これと同時にＬＥＤスイッチ１０６がＬＣＤ６による押し込み状態から開放され、スイッチオンとなり、ＬＥＤ１０５が発光される。ＬＥＤ１０５が発光すると、発光した光は凹所１０１の上下両方から空隙Ｓ内に向けて出射される。図８は下方のＬＥＤ１０５から空隙Ｓに向けて出射される光の状態を示しており、ＬＣＤ６の背面には実施例１と同様な拡散板６３が貼り付けられており、またここでは凹所１０１の内面には微小な凹凸を高密度に配置した拡散板１０２Ａを配設しているので、出射された光は両拡散板６３と１０２Ａにより多重反射されながら空隙Ｓ内を伝達される。これは上方のＬＥＤ１０５についても同じである。そして、拡散された光はＬＣＤ６の背面の全域に向けられ、ＬＣＤ６はほぼ全面が背面側から照明されることになり、いわゆるバックライトとして表示面での表示が可能になる。
【００２４】
ＬＣＤ６の使用が終了したときには、ＬＣＤ６の保護ガラス６２の表面をカメラ本体１に向けて押し込むと、実施例１と同様にＬＣＤ６の下辺部位は開閉レバー９の係止ピン９３が係止部６５に係合された状態となる。ＬＣＤ６の上辺部位は支持ピン６４Ａがガイド溝１０７内で移動することでカメラ本体１の後面内に押し込まれる。これにより、図７（ａ）に示したように、ＬＣＤ６の保護ガラス６２の前面はカメラ本体１の後面と同一面になる。また、同時にＬＥＤスイッチ１０６がＬＣＤ６により押し込まれてオフとなり、ＬＥＤ１０５が消光される。
【００２５】
このように、実施例２では、モニタ装置を構成している透過型ＬＣＤの背面にはカメラ本体との間に導光板を介在する必要がない。そのため、照明装置を含むモニタ装置の厚さ寸法を小さくでき、カメラの薄型化が可能になる。その一方で、ＬＣＤの背面側に形成された空隙を利用して光を導光してＬＣＤの背面を照射して表示面にまで透過させるので、ＬＣＤの周辺部にまで導光することが可能になり、均一かつ輝度の高い背面照明を実現し、高品質の透過型ＬＣＤを用いたモニタ装置を実現することができる。特に実施例２では、ＬＣＤを平行移動して空隙を形成しているので、ＬＣＤの上下にそれぞれＬＥＤを配設することが可能になり、これら上下のＬＥＤから出射する光によって照明を行なうことにより実施例１よりも明るい照明を行うことが可能になる。
【実施例３】
【００２６】
実施例３はモニタ装置を反射型ＬＣＤで構成した実施例である。反射型ＬＣＤは表示面に対して照明装置により照明を行い、ＬＣＤでの反射光で表示を行うものであり、いわゆるフロントライトとして照明装置が構成される。実施例３では、図９に一部の断面図を示すように、反射型のＬＣＤ６Ａはその表示面がカメラ本体１の後面よりも若干奥まった面位置となるようにカメラ本体１の凹所１０１の内面に固定されている。また、前記カメラ本体１の凹所１０１内にはＬＣＤ６Ａの表示面の前側に微小な空隙をおいて保護ガラス６２が配設されている。この保護ガラス６２はフレーム６１により周囲が支持されており、このフレーム６１は、詳細な図示は省略するが、図２に示した実施例１と同様に、上辺部位に設けられた支持ピン６４によってカメラ本体１の後面に対して下辺部位が前後方向に移動できるように回動可能に支持されている。また、フレーム６１の下辺部位には図には表れない実施例１と同様の係止部が設けられ、カメラ本体の後面に配設された図１の開閉レバー９と同じ構成の開閉レバーが配設されている。
【００２７】
さらに、図９には表れないが、フレーム６１の両側辺に対応する前記カメラ本体１の凹所１０１内にはフレーム６１に対してほぼ垂直に弾接するコイル状の保護ガラス付勢バネが配設されており、これらの保護ガラス付勢バネによって保護ガラス６２は下辺部位がカメラ本体の後面から突出する方向に付勢される。また、これに近接する位置には保護ガラスが突出されたときにオン動作するＬＥＤスイッチが配設されている。さらに、前記フレーム６１の下辺部位には下辺に沿った１以上の箇所に光軸を上方に向けたＬＥＤ１０５が配設されている。
【００２８】
この実施例では、ＬＣＤ６Ａを使用しないとき、あるいは外光が明るいときには、カメラの後面に配設されている開閉レバーを操作しない。このときには、図１０（ａ）に示すように、保護ガラス６２の前面はカメラ本体１の後面と同一面位置にあり、当該保護ガラス６２の前面が当該後面から突出されることがない。
【００２９】
一方、ＬＣＤ６Ａを照明して使用するときには、実施例１と同様に開閉レバーを操作して保護ガラス６２のフレーム６１の係止を解除すると、保護ガラスの下辺部位は保護ガラス付勢バネによってカメラ本体の後面から突出され、図１０（ｂ）及び図９に示すように、ＬＣＤ６Ａの表示面との間の狭い幅の空隙が拡大され、テーパ状の大きな幅の空隙Ｓが形成される。また、これと同時にＬＥＤスイッチが保護ガラスによる押し込み状態から開放され、スイッチオンとなりＬＥＤ１０５が発光される。
【００３０】
ＬＥＤ１０５が発光すると、発光した光はＬＣＤ６Ａの表示面と保護ガラス６２の内面との空隙Ｓ内に向けて出射され、この幅寸法が大きな空隙Ｓ内においてＬＣＤ６Ａの表示面と保護ガラス６２の内面との間で反射されながら空隙Ｓ内を伝達される。そして、光はＬＣＤ６Ａの表示面の全域に向けられ、当該全面が照明されることになり、表示面での表示が可能になる。
【００３１】
ＬＣＤ６Ａの使用が終了したときには、保護ガラス６２の前面の下辺寄りの一部をカメラ本体１に向けて押し込むと、フレーム６１の下辺部位が開閉レバーによって係合された状態となる。このときには図１０（ａ）に示したように、保護ガラスの前面はカメラ本体の後面と同一面となる。また、同時にＬＥＤスイッチがフレームにより押し込まれてオフとなり、ＬＥＤ１０５が消光される。
【００３２】
このように、モニタ装置を構成している反射型ＬＣＤの表示面の前面に導光板を配設する必要がない。特に、この実施例では保護ガラスの内部に光を導光するものではなく、保護ガラスの内面での反射を利用して導光を行っているので、保護ガラスを薄く形成しても好適な導光が実現でき、カメラの前後方向の寸法を小さくでき薄型カメラとして提供することができる。その一方で、ＬＣＤの表示面側に形成された空隙を利用して光を導光してＬＣＤの表示面を照明するので当該表示面の周辺部にまで導光することが可能になり、均一かつ輝度の高い背面照明を実現し、高品質の反射型ＬＣＤを用いたモニタ装置を実現することができる。
【００３３】
なお、実施例３の保護ガラスを実施例２のように保護ガラス全体をカメラ本体の後面から突出するように構成してもよい。この場合には保護ガラスのフレームの上辺部位と下辺部位のそれぞれにＬＥＤを配設してＬＣＤの表示面を照明することができ、より明るくかつ均一な照明及び表示が実現できる。
【００３４】
以上の実施例は本発明をカメラに適用しているが、携帯電話やその他の電子機器のように液晶表示装置を備える機器であって、薄型化が要求される機器であれば本発明が適用できることは言うまでもない。
【図面の簡単な説明】
【００３５】
【図１】本発明を適用したデジタルカメラを背面方向から見た斜視図である。
【図２】実施例１の要部の部分分解斜視図である。
【図３】実施例１の要部の拡大断面図である。
【図４】実施例１の作用を説明するための断面図である。
【図５】実施例１の開閉レバーの動作を説明するための断面図である。
【図６】実施例２の要部の部分分解斜視図である。
【図７】実施例２の作用を説明するための断面図である。
【図８】実施例２の要部の拡大断面図である。
【図９】実施例３の要部の拡大断面図である。
【図１０】実施例３の作用を説明するための断面図である。
【符号の説明】
【００３６】
１  カメラ本体
２  撮影レンズ
６  モニタ装置（透過型ＬＣＤ）
６Ａ  モニタ装置（反射型ＬＣＤ）
９  開閉レバー
６１  フレーム
６２  保護ガラス
６５  係止部
１０１  凹所
１０２  反射板
１０２Ａ  拡散板
１０４  ＬＣＤ付勢バネ
１０５  ＬＥＤ
１０６  ＬＥＤスイッチ
【図１】
2006058808.tif 000003
【図２】
2006058808.tif 000004
【図３】
2006058808.tif 000005
【図４】
2006058808.tif 000006
【図５】
2006058808.tif 000007
【図６】
2006058808.tif 000008
【図７】
2006058808.tif 000009
【図８】
2006058808.tif 000010
【図９】
2006058808.tif 000011
【図１０】
2006058808.tif 000012